(57)【要約】      （修正有）【課題】常に最良の条件で測定できるように、アセトンを用いて簡単に行なえるＧＣ−ＭＳ用の電界イオン化イオン源の調整方法を提供する。【解決手段】ガスクロマトグラフ装置から導入される試料分子をエミッターとカソードによって挟まれた高電界空間に導入管を介して導入し、該高電界空間を利用して試料分子をイオン化させる電界イオン化イオン源の調整方法であって、標準試料を前記導入管を介して前記高電界空間に導入し、生成された標準試料のイオンに基づいてイオン化条件を調整するようにした。【選択図】図４
2012202682.tif 000002
【特許請求の範囲】
【請求項１】
ガスクロマトグラフ装置から導入される試料分子をエミッターとカソードによって挟まれた高電界空間に導入管を介して導入し、該高電界空間を利用して試料分子をイオン化させる電界イオン化イオン源の調整方法であって、
標準試料を前記導入管を介して前記高電界空間に導入し、生成された標準試料のイオンに基づいてイオン化条件を調整することを特徴とする電界イオン化イオン源の調整方法。
【請求項２】
前記イオン化の条件は、前記ガスクロマトグラフ装置の導入管と前記エミッターとの位置関係、前記エミッターと前記カソードに印加される電位、または電界イオン化イオン源の後段に置かれている質量分析装置へのイオンの収束条件を制御する電界イオン化イオン源に内蔵されたレンズに印加される電位のいずれか１つを含むことを特徴とする請求項１記載の電界イオン化イオン源の調整方法。
【請求項３】
前記イオン化の条件の調整は、前記ガスクロマトグラフ装置の導入管と前記エミッターの位置関係を、該導入管の試料吹き出し口に対して、前記エミッターの位置の微調整が可能な微動機構を用い、前記カソードに高電圧を印加した状態または一時的に高電圧を切った状態で前記エミッターを前記試料吹き出し口に対して位置移動させることにより行ない、前記質量分析装置で観測されるイオン量が高電圧印加状態の中、最大レベルに達したとき、前記エミッターと前記試料吹き出し口との位置関係が最適になったと判断することを特徴とする請求項２記載の電界イオン化イオン源の調整方法。
【請求項４】
前記標準試料は、前記ガスクロマトグラフ装置と電界イオン化イオン源とを結ぶインターフェイス部から電界イオン化イオン源に導入されることを特徴とする請求項１記載の電界イオン化イオン源の調整方法。
【請求項５】
前記標準試料は、前記ガスクロマトグラフ装置へのキャリアガス導入ラインから導入されることを特徴とする請求項１記載の電界イオン化イオン源の調整方法。
【請求項６】
前記標準試料は、前記ガスクロマトグラフ装置のセプタムから導入されることを特徴とする請求項１記載の電界イオン化イオン源の調整方法。
【請求項７】
請求項４、５、または６記載の標準試料導入路に加え、イオン源の器壁から直接導入できる標準試料導入路を併設したことを特徴とする電界イオン化イオン源の調整方法。
【請求項８】
前記標準試料は、アセトンであることを特徴とする請求項１記載の電界イオン化イオン源の調整方法。
【発明の詳細な説明】
【技術分野】
【０００１】
本発明は、汎用性が高く、感度の最適化を容易に行なうことのできるＧＣ−ＭＳ用の電界イオン化イオン源の調整方法に関する。
【背景技術】
【０００２】
電界イオン化（Field Ionization：ＦＩ）は、試料をガス化して、ガス分子を強い電界を発生するエミッターに直接接触させることにより、試料をイオン化させる方法である。ＦＩイオン源は、質量分析計（ＭＳ）に用いられるイオン源のうち、最もソフトなイオン化を行なえるイオン源のひとつとして広く知られている。
【０００３】
図１は、典型的なＦＩイオン源の構造を示したものである。図中１０１は、エミッターである。エミッター１０１は、通常、ウィスカーと呼ばれるヒゲ状の炭素材を表面に成長させた導線により作られている。試料ガスは、イオン源の外部から試料直接導入装置１０２を介して、真空にしたイオン化室１０３の内部に導入される。
【０００４】
エミッター１０１と対向電極１０４との間には−１０ｋＶ程度の大きな電位差が設けられているので、エミッター１０１と接触した試料ガス分子は、その最外郭軌道にある電子が高電界を生じたエミッター１０１表面に向けてトンネル現象によってトンネリングされ、きわめて穏やかな条件下でイオン化される。生成したイオン１０５は、イオン集束用の対向電極１０４によりイオン化室１０３の外部に引き出され、図示しない質量分析部へと導入される。
【０００５】
図２は標準的なガスクロマトグラフ（ＧＣ）用ＦＩイオン源のイオン化システムである。システムは、ＦＩイオン源１４、標準試料導入部１、ＧＣインターフェイス３、ＧＣ４で構成される。
【０００６】
標準試料導入部１はロータリーポンプ（ＲＰ）７、ＦＩイオン源１４はロータリーポンプ（ＲＰ）７とターボモレキュラーポンプ（ＴＭＰ）６でそれぞれ排気され、真空下に置かれている。
【０００７】
ＧＣは、ガスボンベ８から供給されるヘリウムなどのキャリアガスがカラム内を流れることによって動作する。カラムは温度制御されたオーブン内に置かれている。
【０００８】
試料は、スプリットレス導入部５のセプタムから導入され、キャリアガスとともに高温に熱せられたカラム内を展開され、異なる成分ごとに分離されて、インターフェイス３を経由して、イオン源２に送られる。
【０００９】
図３はイオン源２の内部である。試料分子のイオン化は、エミッター１０に対してカソード１３に−１０ｋＶ程度の電圧を印加した状態で、試料分子をエミッター１０に吹き付けることにより行なわれる。
【００１０】
一般的には、質量分析を開始する際に、イオン源の最適なチューニングを行なうことが必要となる。通常、チューニングに用いられる標準試料には、気化しやすく、高感度で検出が可能なアセトンが用いられる。チューニング作業は、次のような手順で行なわれる。
【００１１】
１．エミッター１０がＧＣキャピラリーカラム９の延長線上に来るように、目測で前後させて位置を合わせる。
【００１２】
２．アセトンを標準試料導入部１に溜めて、ニードルバルブなどで調節しながら、イオン源２の内部に送り込む。
【００１３】
３．エミッター１０とカソード１３の間に電位を供給し、アセトン分子のイオンを発生させ、レンズ１２を調整しながら、最良の感度、分解能が得られるエミッター１０の位置とレンズ１２の条件をチューニングする。
【００１４】
４．イオン化の最良な条件が定まったら、アセトンを止めて、ＧＣから測定試料を導入し、質量分析を開始する。
【先行技術文献】
【非特許文献】
【００１５】
【非特許文献１】特許庁ホームページ、標準技術集、質量分析技術（マススペクトロメトリー）、１−２−６−７、電界イオン化（ＦＩ）。
【００１６】
【非特許文献２】発明協会公開技報、公技番号２０１０−５０１０８９。
【特許文献】
【００１７】
【特許文献１】特開昭５３−２６１８９号公報。
【発明の開示】
【発明が解決しようとする課題】
【００１８】
このようなＦＩイオン源において、ＧＣで分離された試料は、ＧＣキャピラリーカラム９の出口付近で拡散するため、エミッター１０とＧＣキャピラリーカラム９との距離をかなり近づけてセットすることが求められる。
【００１９】
しかしながら、目測でエミッター１０とＧＣキャピラリーカラム９の機械的な位置を合わせても、アセトン用の導入部とは別の導入部であるために、次のような理由により、アセトンで予め調整しておいても、最良な条件に必ずしも設定できない問題があった。
【００２０】
１．ＧＣキャピラリーカラム９の出口のカット面が完全垂直ではないので、出口で試料が曲がって拡散してしまう。
【００２１】
２．エミッター１０に高電位を印加すると、電位力でエミッター１０が撓み、位置がずれてしまう。
【００２２】
３．ＦＩのエミッター１０とＧＣキャピラリーカラム９の出口との位置関係は、感度的に非常に微妙であり、目視では、必ずしも正確に合わせられない。
【００２３】
本発明の目的は、上述した点に鑑み、常に最良の条件で測定できるように、アセトンを用いて簡単に行なえるＧＣ−ＭＳ用の電界イオン化イオン源の調整方法を提供することにある。
【課題を解決するための手段】
【００２４】
この目的を達成するため、本発明にかかる電界イオン化イオン源の調整方法は、
ガスクロマトグラフ装置から導入される試料分子をエミッターとカソードによって挟まれた高電界空間に導入管を介して導入し、該高電界空間を利用して試料分子をイオン化させる電界イオン化イオン源の調整方法であって、
標準試料を前記導入管を介して前記高電界空間に導入し、生成された標準試料のイオンに基づいてイオン化条件を調整することを特徴としている。
【００２５】
また、前記イオン化の条件は、前記ガスクロマトグラフ装置の導入管と前記エミッターとの位置関係、前記エミッターと前記カソードに印加される電位、または電界イオン化イオン源の後段に置かれている質量分析装置へのイオンの収束条件を制御する電界イオン化イオン源に内蔵されたレンズに印加される電位のいずれか１つを含むことを特徴としている。
【００２６】
また、前記イオン化の条件の調整は、前記ガスクロマトグラフ装置の導入管と前記エミッターの位置関係を、該導入管の試料吹き出し口に対して、前記エミッターの位置の微調整が可能な微動機構を用い、前記カソードに高電圧を印加した状態または一時的に高電圧を切った状態で前記エミッターを前記試料吹き出し口に対して位置移動させることにより行ない、前記質量分析装置で観測されるイオン量が高電圧印加状態の中、最大レベルに達したとき、前記エミッターと前記試料吹き出し口との位置関係が最適になったと判断することを特徴としている。
【００２７】
また、前記標準試料は、前記ガスクロマトグラフ装置と電界イオン化イオン源とを結ぶインターフェイス部から電界イオン化イオン源に導入されることを特徴としている。
【００２８】
また、前記標準試料は、前記ガスクロマトグラフ装置へのキャリアガス導入ラインから導入されることを特徴としている。
【００２９】
また、前記標準試料は、前記ガスクロマトグラフ装置のセプタムから導入されることを特徴とする請求項１記載の電界イオン化イオン源。
【００３０】
また、上記標準試料導入路に加え、イオン源の器壁から直接導入できる標準試料導入路を併設したことを特徴としている。
【００３１】
また、前記標準試料は、アセトンであることを特徴としている。
【発明の効果】
【００３２】
本発明の電界イオン化イオン源の調整方法によれば、
ガスクロマトグラフ装置から導入される試料分子をエミッターとカソードによって挟まれた高電界空間に導入し、該高電界空間を利用して試料分子から電子を脱離させることにより試料分子をイオン化させる電界イオン化イオン源において、
試料分子のイオン化の条件を予め最適にチューニングする目的で用いられる標準試料を、ガスクロマトグラフ装置からの導入ラインを用いてイオン源に導入することにより決定できるようにしたので、
常に最良の条件で測定できるように、アセトンを用いて簡単に行なえるＧＣ−ＭＳ用の電界イオン化イオン源の調整方法を提供することが可能になった。
【図面の簡単な説明】
【００３３】
【図１】従来のＦＩイオン源の一例を示す図である。
【図２】従来の標準的なガスクロマトグラフ用ＦＩイオン源のイオン化システムの一例を示す図である。
【図３】従来の標準的なガスクロマトグラフ用ＦＩイオン源の一例を示す図である。
【図４】本発明にかかる標準的なガスクロマトグラフ用ＦＩイオン化システムの一実施例を示す図である。
【図５】本発明にかかる標準的なガスクロマトグラフ用ＦＩイオン化システムの別の実施例を示す図である。
【図６】本発明にかかる標準的なガスクロマトグラフ用ＦＩイオン化システムの別の実施例を示す図である。
【発明を実施するための最良の形態】
【００３４】
以下、図面を参照して、本発明の実施の形態を説明する。
【００３５】
［実施例１］
図４は、本発明にかかる標準的なガスクロマトグラフ用ＦＩイオン化システムの一実施例を示す図である。
【００３６】
システムは、ＦＩイオン源（イオン化室）１４、標準試料導入部１、ＧＣインターフェイス３、ＧＣ４で構成される。
【００３７】
標準試料導入部１はロータリーポンプ（ＲＰ）７、ＦＩイオン源１４はロータリーポンプ（ＲＰ）７とターボモレキュラーポンプ（ＴＭＰ）６でそれぞれ排気され、真空下に置かれている。
【００３８】
ＧＣは、ガスボンベ８から供給されるヘリウムなどのキャリアガスがカラム内を流れることによって動作する。カラムは温度制御されたオーブン内に置かれている。
【００３９】
試料は、スプリットレス導入部５のセプタムから導入され、キャリアガスとともに高温に熱せられたカラム内を展開され、異なる成分ごとに分離されて、インターフェイス３を経由して、イオン源２に送られる。
【００４０】
本実施例では、ＧＣ４内のキャピラリーカラム９の出口付近に三方ジョイント２１を設けて、追加したラインに抵抗管２２とアセトン２３のラインを切り替えられる三方コック２４を設ける。抵抗管２２には、キャピラリーカラム９の１０〜１００倍程度の通過抵抗を有するものを用いる。
【００４１】
本実施例の動作は次の通りである。
【００４２】
１．本測定前のアセトンを用いたＦＩイオン源１４のチューニングの際に、三方コック２４をアセトン２３側に切り替えると、気化しやすいアセトンは、減圧されている三方コック２４側に流れ出し、三方ジョイント２１とキャピラリーカラム９を通ってＦＩイオン源１４に到達する。キャピラリーカラム９から出たアセトンは、エミッター１０に触れてイオン化され、これによりＭＳを観測しながら、エミッター１０の位置調整を含めた最適なチューニングが行なえる。
【００４３】
２．ＭＳを観測しながらの、エミッター１０の位置調整は、ＧＣから延びたキャピラリーカラム９の試料吹き出し口に対して、１０ミクロンのオーダーでエミッター１０の前後動による位置の微調整が可能なマイクロメーターをＦＩイオン源に予め設けておき、対向電極に高電圧を印加した状態または一時的に高電圧を切った状態で、エミッター１０をキャピラリーカラム９の試料吹き出し口に対してイオン光軸上を位置移動させることにより行なう。そして、ＭＳで観測されるイオン量が高電圧印加状態の中、最大レベルに達したとき、エミッター１０とキャピラリーカラム９の試料吹き出し口との位置関係がチューニングにより最適になったと判断する。
【００４４】
３．アセトンを用いたチューニングが終了したら、三方コック２４を抵抗管２２側に切り替える。切り替えたら、通常のＧＣ試料に対してＦＩイオン源による質量分析測定を始める。尚、抵抗管２２の使用目的は、三方ジョイント２１のデッドボリュームによるＧＣクロマトピークのテーリングを抑えることである。
【００４５】
４．これにより、アセトンでチューニングされた最適条件とまったく同じ条件下で、未知試料のＦＩイオン化と質量分析を行なうことができる。
【００４６】
尚、本実施例と類似した試料導入系を備えたガスクロマトグラフ質量分析装置として、特開昭５４−９２３８８号公報の第１図に開示されたガスクロマトグラフ質量分析装置がすでに知られている。ところが、その時代には、ガラス管の内壁に液相を設けた内径１ｍｍ以下のキャピラリーカラムはまだ実用化されておらず、ほとんどすべてが内径２〜３ｍｍを超えるパックドカラムであった。パックドカラムには液相がなく、吸着剤がガラス管内に直接充填されていた。
【００４７】
パックドカラムの場合、試料の分離に多量のキャリアガスを必要とし、カラムの出口付近ではガスが多すぎるので、ジェットセパレーターでＨｅガスなどのキャリアガス（軽い成分）を取り除き、重い試料成分のみを選別して、イオン化室内に導入することが行なわれていた。このようなガスクロマトグラフ質量分析装置は、高感度化のために精密な位置合わせを必要とするＦＩには適しておらず、実際、ラフな調整で高感度が得られるＥＩ／ＣＩ専用であることが多く、ＦＩに応用されたことはほとんどなかった。
【００４８】
今回の発明は、ガラス管の内壁に液相を設けた内径１ｍｍ以下のキャピラリーカラムに用いて好適なＦＩガスクロマトグラフ質量分析装置である。特開昭５４−９２３８８号公報の例との根本的な違いは、キャピラリーカラムの出口部とエミッターとの位置関係を、マイクロメーターを用いることにより、１０ミクロン単位で精密に微調整ができるように構成されている点である。
【００４９】
従来のＦＩでは、標準試料のアセトンをイオン化室内に大量に導入し、後段の質量分析部に誘導する際に重要となるイオン集束用の対向電極のチューニングを行なうことで、取りあえず良しとしていた。しかしながら、イオン化室内に大量の標準試料を導入したのでは、イオン集束用の対向電極のチューニングには問題がないとしても、キャピラリーカラムの出口部とエミッターとの位置関係の精密なチューニングは、ほとんどできないのが実際であった。
【００５０】
本発明では、ガスクロマトグラフで実際に用いられているキャピラリーカラムの出口部から、少量の標準試料のアセトンをエミッターの近傍に導入して、キャピラリーカラムの出口部とエミッターとの位置関係を、マススペクトルをモニターしながらマイクロメーターで精密に微調整することにより、初めてＦＩの高感度化のために有効なチューニングを行なえるようにした。
【００５１】
［実施例２］
図５は、本発明にかかる標準的なガスクロマトグラフ用ＦＩイオン化システムの別の実施例を示す図である。
【００５２】
システムは、ＦＩイオン源（イオン化室）１４、標準試料導入部１、ＧＣインターフェイス３、ＧＣ４で構成される。
【００５３】
標準試料導入部１はロータリーポンプ（ＲＰ）７、ＦＩイオン源１４はロータリーポンプ（ＲＰ）７とターボモレキュラーポンプ（ＴＭＰ）６でそれぞれ排気され、真空下に置かれている。
【００５４】
ＧＣは、ガスボンベ８から供給されるヘリウムなどのキャリアガスがカラム内を流れることによって動作する。カラムは温度制御されたオーブン内に置かれている。
【００５５】
試料は、スプリットレス導入部５のセプタムから導入され、キャリアガスとともに高温に熱せられたカラム内を展開され、異なる成分ごとに分離されて、インターフェイス３を経由して、イオン源２に送られる。
【００５６】
本実施例では、スプリットレス導入部５のキャリアガスラインに切り替えコック１６を設けて、アセトン１５のラインに接続させる構成である。
【００５７】
本実施例の動作は次の通りである。
【００５８】
１．本測定前のアセトンを用いたＦＩイオン源１４のチューニングの際に、切り替えコック１６をアセトン１５側に切り替えると、気化しやすいアセトンは、キャリアガスに乗ってスプリットレス導入部５の側に流れ出し、ＧＣ４とＧＣインターフェイス３を通ってＦＩイオン源１４に到達する。キャピラリーカラム９から出たアセトンは、エミッター１０に触れてイオン化され、これによりＭＳを観測しながら、エミッター１０の位置調整を含めた最適なチューニングが行なえる。このとき、ＧＣのオーブン温度を予め室温にしておき、アセトンがカラム液層を犯さないようにする。
【００５９】
２．ＭＳを観測しながらの、エミッター１０の位置調整は、ＧＣから延びたキャピラリーカラム９の試料吹き出し口に対して、１０ミクロンのオーダーでエミッター１０の前後動による位置の微調整が可能なマイクロメーターをＦＩイオン源に予め設けておき、対向電極に高電圧を印加した状態または一時的に高電圧を切った状態で、エミッター１０をキャピラリーカラム９の試料吹き出し口に対してイオン光軸上を位置移動させることにより行なう。そして、ＭＳで観測されるイオン量が高電圧印加状態の中、最大レベルに達したとき、エミッター１０とキャピラリーカラム９の試料吹き出し口との位置関係がチューニングにより最適になったと判断する。
【００６０】
３．アセトンを用いたチューニングが終了したら、切り替えコック１６をガスボンベ８側に切り替える。切り替えたら、通常のＧＣ試料に対してＦＩイオン源による質量分析測定を始める。この段階になれば、ＧＣのオーブン温度を上昇させても、もはや問題はない。
【００６１】
４．これにより、アセトンでチューニングされた最適条件とまったく同じ条件下で、未知試料のＦＩイオン化と質量分析を行なうことができる。
【００６２】
［実施例３］
図６は、本発明にかかる標準的なガスクロマトグラフ用ＦＩイオン化システムの別の実施例を示す図である。
【００６３】
本実施例は、実施例２の変形で、ヘリウムガスラインを独自に設けて、スプリットレス導入部５のセプタム１７からアセトンを導入して、ＦＩイオン源のチューニングを行なう方法である。
【００６４】
本実施例の動作は次の通りである。
【００６５】
１．本測定前のアセトンを用いたＦＩイオン源１４のチューニングの際に、アセトンを通したキャリアガスをスプリットレス導入部５のセプタム１７から導入すると、気化しやすいアセトンは、キャリアガスに乗ってスプリットレス導入部５からＧＣ４に導入され、ＧＣ４とＧＣインターフェイス３を通ってＦＩイオン源１４に到達する。キャピラリーカラム９から出たアセトンは、エミッター１０に触れてイオン化され、これによりＭＳを観測しながら、エミッター１０の位置調整を含めた最適なチューニングが行なえる。このとき、ＧＣのオーブン温度を予め室温にしておき、アセトンがカラム液層を犯さないようにする。
【００６６】
２．ＭＳを観測しながらの、エミッター１０の位置調整は、ＧＣから延びたキャピラリーカラム９の試料吹き出し口に対して、１０ミクロンのオーダーでエミッター１０の前後動による位置の微調整が可能なマイクロメーターをＦＩイオン源に予め設けておき、対向電極に高電圧を印加した状態または一時的に高電圧を切った状態で、エミッター１０をキャピラリーカラム９の試料吹き出し口に対してイオン光軸上を位置移動させることにより行なう。そして、ＭＳで観測されるイオン量が高電圧印加状態の中、最大レベルに達したとき、エミッター１０とキャピラリーカラム９の試料吹き出し口との位置関係がチューニングにより最適になったと判断する。
【００６７】
３．アセトンを用いたチューニングが終了したら、スプリットレス導入部５のセプタム１７からアセトンのラインを取り外す。その後、通常のＧＣ試料に対してＦＩイオン源による質量分析測定を始める。この段階になれば、ＧＣのオーブン温度を上昇させても、もはや問題はない。
【００６８】
４．これにより、アセトンでチューニングされた最適条件とまったく同じ条件下で、未知試料のＦＩイオン化と質量分析を行なうことができる。
【００６９】
［実施例４］
ＦＩイオン化法とは別に、エミッターに試料を付着させてエミッターに通電して昇温させ、試料イオンを生成させるＦＤ（Field Desorption、電界脱離）イオン化法としてエミッターを用いる場合には、エミッター１０とキャピラリーカラム９の試料吹き出し口との位置関係のチューニングは必要ない。
【００７０】
すなわち、ＦＤイオン化法では細かな位置調整が省けるので、従来の装置を示す図２の標準試料導入部１を削除せずに残しておき、ＦＤイオン化法でレンズ電極のチューニングをアセトンで行なう際の、チューニング用標準試料導入部として利用しても良い。そうすれば、ＦＩだけでなく、ＦＤにも対応可能なイオン源となる。
【００７１】
さらに、ＦＩのチューニングにおいても、粗調整（Coarse）の場合には従来の標準試料導入部１をアセトン導入路として使用し、精密調整（Fine）の段階になってから本発明のＧＣのキャピラリーカラム側からアセトンを流す方式を利用することも考えられる。なぜなら、キャピラリーカラム内に長時間アセトンを流し続けると、カラムの液層を溶かしてしまう危険性があるからである。
【００７２】
ゆえに、本実施例のように構成することにより、ＦＩとＦＤの両方のイオン化法に対応した、優れたイオン源を提供することが可能になる。
【符号の説明】
【００７３】
１：標準試料導入部、２：イオン源、３：ＧＣインターフェイス、４：ＧＣ、５：スプリットレス導入部、６：ターボモレキュラーポンプ、７：ロータリーポンプ、８：ガスボンベ、９：キャピラリーカラム、１０：エミッター、１１：アセトン、１２：レンズ、１３：カソード、１４：ＦＩイオン源（イオン化室）、１５：アセトン、１６：切り替えコック、１７：セプタム、２１：三方ジョイント、２２：抵抗管、２３：アセトン、２４：三方コック
【図１】
2012202682.tif 000003
【図２】
2012202682.tif 000004
【図３】
2012202682.tif 000005
【図４】
2012202682.tif 000006
【図５】
2012202682.tif 000007
【図６】
2012202682.tif 000008